(57)【要約】  圧縮オーディオパケットを処理して対応するデジタルオーディオ品質インジケータ値を計算し、圧縮オーディオパケットをオーディオ混合バッファに記憶し、オーディオ混合バッファに記憶された各圧縮オーディオパケットからのオーディオ情報を、オーディオデコーダを用いて処理して解凍されたデジタルオーディオ信号サンプルを生成し、デジタルオーディオ品質インジケータ値を使用して、デジタルオーディオ品質インジケータ値が圧縮オーディオパケットの劣化又は不具合を示す場合にアナログとデジタルとの間の不必要な混合の繰り返しを防ぐことにより、アナログオーディオ信号サンプルをデジタルオーディオ信号サンプルと組み合わせてオーディオ出力を生成するように混合処理を導く、ことによって複合デジタルラジオ放送信号のアナログ部分とデジタル部分とを混合する方法及び装置を提供する。【選択図】図１２
2018509118.tif 000002
【特許請求の範囲】
【請求項１】
複合デジタルラジオ放送信号を処理して信号混合を平滑化する方法であって、
受け取った複合デジタルラジオ放送信号をアナログオーディオ部分とデジタルオーディオ部分とに分離するステップと、
前記複合デジタルラジオ放送信号の前記アナログオーディオ部分を復調してアナログオーディオ信号サンプルを生成するステップと、
前記複合デジタルラジオ放送信号の前記デジタルオーディオ部分を復調してデジタルオーディオ信号を生成し、
前記デジタルオーディオ信号を、上位層復号処理を用いて復号して複数の圧縮オーディオパケットを計算し、
各圧縮オーディオパケットを処理して、対応するデジタルオーディオ品質インジケータ値を計算し、
各圧縮オーディオパケットを、前記複数の圧縮オーディオパケットを記憶するオーディオ混合バッファに記憶し、
前記オーディオ混合バッファに記憶された各圧縮オーディオパケットからのオーディオ情報を、解凍されたデジタルオーディオ信号サンプルを生成するオーディオデコーダを用いて処理する、
ことにより、前記複合デジタルラジオ放送信号の前記デジタルオーディオ部分を復調してデジタルオーディオ信号サンプルを生成するステップと、
１又は２以上の対応するデジタルオーディオ品質インジケータ値によって示されたときに、アナログからデジタルへの混合を防ぎ又は遅延させることによって前記アナログオーディオ信号サンプルを前記デジタルオーディオ信号サンプルとデジタル的に組み合わせてオーディオ出力を生成するステップと、
を含むことを特徴とする方法。
【請求項２】
前記複合デジタルラジオ放送信号は、無線インバンドオンチャネルデジタルラジオ放送信号を含む、
請求項１に記載の方法。
【請求項３】
前記複合デジタルラジオ放送信号の前記デジタルオーディオ部分を復調してデジタルオーディオ信号を生成するステップは、前記複合デジタルオーディオ放送信号のデジタルオーディオ部分に対してデインターリービング、符号合成、ＦＥＣ復号及びエラーフラッギングを実行してベースバンドデジタル信号を生成するステップを含む、
請求項１に記載の方法。
【請求項４】
前記デジタルオーディオ信号を復号するステップは、前記デジタルベースバンド信号のオーディオトランスポート復号を実行して前記複数の圧縮オーディオパケットを計算するステップを含む、
請求項３に記載の方法。
【請求項５】
各圧縮オーディオパケットを処理して前記対応するデジタルオーディオ品質インジケータ値を計算するステップは、データ破損について各圧縮オーディオパケットの解析及びチェックを行うステップを含む、
請求項１に記載の方法。
【請求項６】
各圧縮オーディオパケットを処理して前記対応するデジタルオーディオ品質インジケータ値を計算するステップは、各圧縮オーディオパケット上の各ヘッダの整合性チェックを実行するステップを含む、
請求項１に記載の方法。
【請求項７】
前記オーディオ混合バッファに記憶された各圧縮オーディオパケットが同時に処理されて、前記対応するデジタルオーディオ品質インジケータ値が計算される、
請求項１に記載の方法。
【請求項８】
各圧縮オーディオパケットは、処理されて前記対応するデジタルオーディオ品質インジケータ値が計算された後に前記オーディオ混合バッファに記憶される、
請求項１に記載の方法。
【請求項９】
前記対応するデジタルオーディオ品質インジケータ値を、
オーディオパケットバッファに記憶されたＫ個の圧縮オーディオパケットに対応するＫ個の先読みデジタルオーディオ品質インジケータ値を記憶する先読みバッファと、
前記オーディオ混合バッファに記憶された前記複数の圧縮オーディオパケットに対応するＭ個の現在のデジタルオーディオ品質インジケータ値を記憶する現在バッファと、
含むメモリ記憶装置に記憶するステップをさらに含む、
請求項８に記載の方法。
【請求項１０】
前記Ｋ個の先読み品質インジケータ値に基づいて将来のデジタルオーディオ品質測定基準を計算するステップと、
前記Ｍ個の品質インジケータ値に基づいて現在のデジタルオーディオ品質測定基準を計算するステップと、
をさらに含み、前記アナログオーディオサンプルを前記デジタルオーディオ信号サンプルとデジタル的に組み合わせるステップは、現在のデジタルオーディオ品質測定基準が、前記オーディオ混合バッファに記憶された前記圧縮オーディオパケットに歪みがないことを示す第１の値を有し、将来のデジタルオーディオ品質測定基準が、将来の圧縮オーディオパケットが歪んでいることを示す第２の値を有するときに、アナログからデジタルへの混合を防ぎ又は遅延させるステップを含む、
請求項９に記載の方法。
【請求項１１】
補足プログラムサービス（ＳＰＳ）オーディオパケットをオーディオパケットバッファに記憶するステップと、
メインプログラムサービス（ＭＰＳ）オーディオパケットを前記オーディオ混合バッファに記憶するステップと、
をさらに含み、前記デジタルオーディオ部分を復調するステップは、ＳＰＳオーディオパケットとＭＰＳオーディオパケットとの間で切り替えを行って前記オーディオデコーダに入力するステップをさらに含む、
請求項１に記載の方法。
【請求項１２】
複合デジタルラジオ放送信号を処理する受信機であって、実行可能命令及びデータを記憶した少なくとも１つの記録可能記憶媒体を備え、前記実行可能命令及びデータは、少なくとも１つの処理装置によって実行されたときに、該少なくとも１つの処理装置に、
前記複合デジタルラジオ放送信号のデジタルオーディオ部分を復調してデジタルオーディオ信号を生成し、
前記デジタルオーディオ信号を、上位層復号処理を用いて復号して複数の圧縮オーディオパケットを計算し、
各圧縮オーディオパケットを処理して、対応するデジタルオーディオ品質インジケータ値を計算し、
各圧縮オーディオパケットを、オーディオデコーダに入力する圧縮オーディオパケットを提供するように接続された入力バッファに記憶し、
前記入力バッファに記憶された各圧縮オーディオパケットからのオーディオ情報を、解凍されたデジタルオーディオ信号サンプルを生成する前記オーディオデコーダを用いて処理する、
ことにより、前記複合デジタルラジオ放送信号の前記デジタルオーディオ部分を復調してデジタルオーディオ信号サンプルを生成させる、
ことを特徴とする受信機。
【請求項１３】
前記複合デジタルラジオ放送信号の前記デジタルオーディオ部分を復調して前記デジタルオーディオ信号を生成するデジタル復調器と、
前記デジタルオーディオ信号を、前記上位層復号処理を使用して復号して前記複数の圧縮オーディオパケットを計算するオーディオトランスポートデコーダと、
各圧縮オーディオパケットを処理して、前記対応するデジタルオーディオ品質インジケータ値を計算するオーディオ推定器と、
各圧縮オーディオパケットを記憶する、前記入力バッファ内のオーディオ混合バッファと、
前記オーディオ混合バッファの出力に接続され、前記オーディオ混合バッファに記憶された各圧縮オーディオパケットからのオーディオ情報を処理して、解凍されたデジタルオーディオ信号サンプルを生成するオーディオデコーダと、
をさらに備える請求項１２に記載の受信機。
【請求項１４】
前記実行可能命令及びデータは、前記少なくとも１つの処理装置に、前記入力バッファに記憶された各圧縮オーディオパケット上の各ヘッダの整合性チェックを実行し、又は前記入力バッファに記憶された各圧縮オーディオパケットを解析してデータ破損についてチェックすることにより、各圧縮オーディオパケットを処理して、対応するデジタルオーディオ品質インジケータ値を計算させる、
請求項１２に記載の受信機。
【請求項１５】
前記入力バッファは、オーディオ混合バッファに接続されたオーディオパケットバッファを含み、前記実行可能命令及びデータは、前記少なくとも１つの処理装置に、各圧縮オーディオパケットを前記オーディオ混合バッファに記憶すると同時に、各圧縮オーディオパケットを処理して、対応するデジタルオーディオ品質インジケータ値を計算させる、
請求項１２に記載の受信機。
【請求項１６】
前記入力バッファは、オーディオ混合バッファに接続されたオーディオパケットバッファを含み、前記実行可能命令及びデータは、前記少なくとも１つの処理装置に、前記圧縮オーディオパケットを前記オーディオ混合バッファに記憶する前に、前記オーディオパケットバッファに記憶された各圧縮オーディオパケットを処理して、対応するデジタルオーディオ品質インジケータ値を計算させる、
請求項１２に記載の受信機。
【請求項１７】
前記オーディオパケットバッファに記憶されたＫ個の圧縮オーディオパケットに対応するＫ個の先読みデジタルオーディオ品質インジケータ値を記憶する先読みバッファと、
前記オーディオ混合バッファに記憶された前記複数の圧縮オーディオパケットに対応するＭ個の現在のデジタルオーディオ品質インジケータ値を記憶する現在バッファと、
をさらに備える、
請求項１６に記載の受信機。
【請求項１８】
将来の圧縮オーディオパケットが歪んでいるかどうかを示すＫ個の先読み品質インジケータ値に基づいて将来のデジタルオーディオ品質測定基準を計算し、前記オーディオ混合バッファに記憶された前記圧縮オーディオパケットに歪みがないかどうかを示すＭ個の品質インジケータ値に基づいて現在のデジタルオーディオ品質測定基準を計算する品質インジケータ処理モジュールをさらに備える、
請求項１７に記載の受信機。
【請求項１９】
（１）前記入力バッファのオーディオパケットバッファに記憶された補足プログラムサービス（ＳＰＳ）オーディオパケットと、（２）前記入力バッファのオーディオ混合バッファに記憶されたメインプログラムサービス（ＭＰＳ）オーディオパケットと、の間で切り替えを行う、前記オーディオデコーダの入力に接続されたセレクタスイッチをさらに備える、
請求項１２に記載の受信機。
【請求項２０】
コンピュータプログラム命令を含む有形のコンピュータ可読媒体であって、前記コンピュータプログラム命令は、ベースバンド処理システムに、
複合デジタルラジオ放送信号のデジタルオーディオ部分を復調してデジタルオーディオ信号を生成することと、
前記デジタルオーディオ信号を、上位層復号処理を用いて復号して複数の圧縮されたオーディオパケットを計算することと、
各圧縮オーディオパケットを、
Ｋ個の先読み圧縮オーディオパケットを記憶するオーディオパケットバッファと、
Ｍ個の現在の圧縮オーディオパケットを記憶するオーディオ混合バッファと、
を含む、オーディオデコーダに入力する圧縮オーディオパケットを提供するように接続された入力バッファに記憶することと、
各圧縮オーディオパケットを処理して、対応するデジタルオーディオ品質インジケータ値を計算することと、
前記入力バッファに記憶された各圧縮オーディオパケットからのオーディオ情報を、解凍されたデジタルオーディオ信号サンプルを生成する前記オーディオデコーダを用いて処理することと、
を行わせるように適合される、
ことを特徴とするコンピュータ可読媒体。
【発明の詳細な説明】
【技術分野】
【０００１】
本発明は、一般にデジタルラジオ放送送信機及び受信機、並びにその動作方法に関する。１つの態様では、本発明は、ラジオ受信機におけるオーディオ信号のデジタル部分とアナログ部分とを混合する方法及び装置に関する。
【背景技術】
【０００２】
デジタルラジオ放送技術は、既存のラジオ帯域を用いて、モバイル受信機、ポータブル受信機及び固定受信機にデジタルオーディオデータサービスを配信するものである。インバンドオンチャネル（ＩＢＯＣ）デジタルラジオ放送と呼ばれる１つのタイプのデジタルラジオ放送は、デジタル的に変調されたサブキャリア又は側波帯を用いてＡＭ又はＦＭアナログ変調キャリア信号上にデジタル情報を多重化し、デジタルラジオ放送信号とアナログラジオ放送信号を同じ周波数で同時に送信する。ｉＢｉｑｕｉｔｙ  Ｄｉｇｉｔａｌ社によって開発されたＨＤ  Ｒａｄｉｏ（ＨＤラジオ）（商標）技術は、デジタルラジオの放送及び受信のためのＩＢＯＣ実装の一例である。ＩＢＯＣデジタルラジオ放送では、デジタルオーディオ信号が存在しない場合、利用できない場合、又は劣化している場合に、オーディオ出力にアナログＡＭ又はＦＭバックアップオーディオ信号を供給できるように（ダイバーシティ遅延によって遅延した）アナログオーディオＡＭ又はＦＭバックアップオーディオ信号を送信することによって、アナログ変調キャリア及びデジタル変調サブキャリア上でオーディオ信号を冗長的に送信することができる。これらの状況では、デジタル信号が利用不能になると、オーディオが完全にアナログに融合するようにデジタル信号を減衰させることによって、出力オーディオ信号に徐々にアナログオーディオ信号が混合される。デジタル信号が利用可能になると、デジタル信号が利用可能になった時にオーディオが完全にデジタルに融合するようにアナログ信号を減衰させることによって、同様に出力オーディオ信号にデジタル信号が混合される。しかしながら、アナログ信号とデジタル信号との間の混合遷移では、アナログ信号とデジタル信号との間のオーディオの差分が大きい場合、混合作用の平滑性の限界に起因して聴取体験が低下することがある。例えば、信号が最低必要レベル付近で変化している局のカバレッジの境界では、信号が一時的に必要レベルを下回り、デコーダが実際のオーディオを生成できずに無意味なデータを送出した時に、スコーク様の干渉が生じることがある。ほとんどの場合、この無駄なデータは、最大振幅まで変動することによって突然の短期の不快なスコーク様のポップノイズを生じる傾向にある。混合作用を平滑化する既存の解決策は、復号オーディオパケットを記憶する大型のオーディオパケットバッファを必要とし、コストが増して、受信機のオンチップメモリ要件が高くなる。他の解決策は、混合決定の際に計算された推定信号対雑音値を使用することによって混合の周波数を低下させることを目的とするが、このような推定値は、干渉のあるチャネル、又は移動環境において選択的フェージングチャネル体験が生じる移動中の自動車などの特定の状況では精度が制限される。ラジオ受信機において聴取体験を著しく損なうことなくデジタル信号とアナログ信号を混合する課題が少なくとも立証されたことにより、より実用的なコスト効率の高いデジタルオーディオ処理の解決策を有することが望ましいと思われる。
【先行技術文献】
【特許文献】
【０００３】
【特許文献１】米国特許第７，５１２，１７５号明細書
【発明の概要】
【課題を解決するための手段】
【０００４】
以下の添付図面と併せて以下の詳細な説明を検討すれば、本発明を理解できるとともに、その数多くの目的、特徴及び利点を得ることができる。
【図面の簡単な説明】
【０００５】
【図１】いくつかの実施形態による、インバンドオンチャネルデジタルラジオ放送システムで使用する送信機の簡略ブロック図である。
【図２】ハイブリッドＦＭ  ＩＢＯＣ波形の概略図である。
【図３】拡張ハイブリッドＦＭ  ＩＢＯＣ波形の概略図である。
【図４】全デジタルＦＭ  ＩＢＯＣ波形の概略図である。
【図５】ハイブリッドＡＭ  ＩＢＯＣ波形の概略図である。
【図６】全デジタルＡＭ  ＩＢＯＣ波形の概略図である。
【図７ａ】放送側から見たＩＢＯＣデジタルラジオ放送論理プロトコルスタックの図である。
【図７ｂ】放送側から見たＩＢＯＣデジタルラジオ放送論理プロトコルスタックの図である。
【図８】デジタルラジオ受信機の簡略的機能ブロック図である。
【図９】受信機側から見たＦＭ  ＩＢＯＣデジタルラジオ放送論理プロトコルスタックの図である。
【図１０】選択的な実施形態による、例示的なデジタル放送受信機のタイミングブロック図である。
【図１１】デジタル放送受信機内のデジタル信号経路及びアナログ信号経路のブロック図である。
【図１２】選択的な実施形態による、第１のデジタル信号経路の回路ブロック図である。
【図１３】選択的な実施形態による、第２のデジタル信号経路の回路ブロック図である。
【図１４】従来のＳＰＳ／ＭＰＳ切り替えアーキテクチャを採用する第３のデジタル信号経路の回路ブロック図である。
【図１５】選択的な実施形態によるＳＰＳ／ＭＰＳ切り替えアーキテクチャを採用する第４のデジタル信号経路の回路ブロック図である。
【発明を実施するための形態】
【０００６】
オーディオデコーダへの入力バッファ内に圧縮オーディオパケットをバッファリングし、この入力バッファに記憶された圧縮オーディオパケットから推定デジタルオーディオ品質インジケータ（ＱＩ）を計算してデジタル信号とアナログ信号との混合を導くことによってデジタル信号とアナログ信号とを効率的に混合する、デジタルラジオ受信機装置及びその関連する動作方法について説明する。オーディオ遷移又は混合モジュールにおいて組み合わせて使用する出力オーディオ混合バッファ内にオーディオデコーダからのＰＣＭオーディオサンプルをバッファリングする代わりに、入力オーディオ混合バッファに圧縮オーディオパケットを記憶させると、さらに小型の入力オーディオ混合バッファの使用が可能になる。選択的な実施形態では、入力オーディオ混合バッファを、アナログオーディオとデジタルオーディオとの間の滑らかな遷移を保証するのに十分な特定のオーディオ継続時間に対応する圧縮オーディオパケットを記憶するＭエントリバッファとしてサイズ決定することができる。例えば、この入力オーディオ混合バッファは、１秒のオーディオを９６ｋｂ／ｓで記憶するのに１２ｋＢのメモリしか必要としない。選択的な実施形態では、入力圧縮オーディオ混合バッファに入力された圧縮オーディオパケットのオーディオ品質推定を実行することによってデジタルオーディオ品質情報を抽出し、入力圧縮オーディオ混合バッファが完全に満たされた時に、デジタル信号とアナログ信号の混合を制御する際に入力圧縮オーディオ混合バッファのコンテンツが歪んでいるか否かを受信機の混合決定機能モジュールが判定できるようにする。圧縮オーディオ混合バッファの入力においてオーディオ品質推定を実行する代わりに圧縮オーディオパケットバッファの入力においてオーディオ品質推定を実行することにより、改善された混合性能を取得することができる。この圧縮オーディオパケットバッファは、デジタルオーディオを遅延させて時間領域でアナログオーディオと整合させるために使用できる、及び／又はオーディオパケットをコアと拡張オーディオストリームとの間で整合させるために使用できるＫ個のパケットを含むことができる。圧縮オーディオパケットが圧縮オーディオパケットバッファに入力された時にこれらのオーディオ品質推定を行うことにより、推定デジタルオーディオ品質情報を記憶し、又は別様に使用して、デジタル信号品質が低下した時のための事前知識又は演繹的知識又は先読み測定基準を混合決定機能モジュールに効果的に提供することができる。デジタルラジオ受信機は、この事前情報を使用して、推定デジタルオーディオ品質情報によってデジタル信号が低下した旨が示された場合にはアナログ信号を使用し続け、再びデジタルに混合し直すのを控えることができる。このように、低帯域幅オーディオ信号（例えば、アナログオーディオ信号）と高帯域幅オーディオ信号（例えば、デジタルＩＢＯＣ信号）との間で繰り返される混合の連続を防ぐことにより、不快な聴取体験の乱れを低減する。同様に、受信デジタル信号が不良であってさらに悪化する旨を事前情報が示す場合、デジタルラジオ受信機は、デジタル信号が劣化した時に生じるアーチファクトをリスンするのではなく、アナログに混合して長くアナログに留まることができる。事実上、先読み測定基準は、混合アルゴリズムがより良い動作を行ってより良いユーザ体験を提供できるように、（帯域及びモードに応じて）継続期間における２、３秒先へのウィンドウを提供することにより、「将来」のデジタルオーディオ品質情報がその後の信号品質に関する事前情報を用いて混合処理を導くようにする。混合バッファをオーディオデコーダの入力に移す別の利点は、メインプログラムサービス（ＭＰＳ）オーディオと補足プログラムサービス（ＳＰＳ）オーディオとの間の切り替えを、オーディオデコーダが出力オーディオ混合バッファを満たすために必要になる無音期間を伴わずにほぼ瞬間的に行える点である。
【０００７】
以下、添付図面を参照しながら本発明の様々な例示的な実施形態を詳細に説明する。以下の説明では様々な詳細を示すが、本発明は、これらの具体的な詳細を伴わずに実施することもでき、本明細書で説明する発明に対して数多くの実装固有の決定を行って、処理技術又は設計に関連する制約事項の順守などの、実装毎に異なる装置設計者の固有の目的を達成することもできると理解されるであろう。このような開発努力は複雑で時間を要することもあるが、本開示の恩恵を受ける当業者にとっては日常的な仕事であると思われる。例えば、選択的態様については、本発明を限定したり、或いは曖昧にしたりするのを避けるために、詳細ではなくブロック図形式で示す。本明細書に示す詳細な説明のいくつかの部分は、コンピュータメモリに記憶されたデータに作用するアルゴリズム及び命令の観点から示される。このような説明及び表現は、当業者が自らの研究内容を他の当業者に説明して伝えるために使用するものである。一般に、アルゴリズムとは、所望の結果をもたらす自己矛盾のない一連のステップを意味し、ここで言う「ステップ」とは、必ずしも必須ではないが、記憶、転送、結合、比較及び別様な操作が可能な電気信号又は磁気信号の形を取ることができる物理量の操作を意味する。これらの信号は、ビット、値、要素、符号、文字、項又は数字などと呼ぶことが共通の使用である。これらの及び同様の用語は、適切な物理量に関連することができ、これらの量に与えられる便利な表記にすぎない。以下の説明から明らかなように、特に別途述べていない限り、説明全体を通じて「ｐｒｏｃｅｓｓｉｎｇ（処理する）」又は「ｃｏｍｐｕｔｉｎｇ（算出する）」又は「ｃａｌｃｕｌａｔｉｎｇ（計算する）」又は「ｄｅｔｅｒｍｉｎｉｎｇ（決定する）」などの用語を用いた説明は、コンピュータシステムのレジスタ及びメモリ内の物理（電子）量として表されるデータを操作し、コンピュータシステムのメモリ、レジスタ、又はその他のこのような情報記憶装置、送信又は表示装置内の物理量として同様に表される他のデータに変形させるコンピュータシステム又は同様の電子コンピュータ装置の動作及び処理を意味するものである。
【０００８】
図１〜図１０、及びそれに伴う本明細書の説明は、例示的なＩＢＯＣシステム、例示的な放送設備の構造及び動作、並びに例示的な受信機の構造及び動作についての大まかな説明を提供するものである。図１１〜図１５、及びそれに伴う本明細書の説明は、ラジオ受信機におけるオーディオ信号のデジタル部分とアナログ部分とを混合する従来の手法と例示的な手法とを対比する説明を提供するものである。例示的なＩＢＯＣシステムの文脈で本開示の態様を示すが、本開示はＩＢＯＣシステムに限定されるものではなく、本明細書の教示は、他の形態のデジタルラジオ放送に適用することもできると理解されたい。
【０００９】
本明細書において参照するサービスは、ラジオ周波数放送を介してコンテンツを通信するいずれかのアナログ又はデジタル媒体である。例えば、ＩＢＯＣラジオ信号、アナログ変調信号、デジタルメインプログラムサービス及びデジタル補足プログラムサービスは、全てサービスと見なすことができる。他のサービスの例としては、特定のアクセスコードを必要とする、例えばゲーム又はコンサートの放送などのオーディオとすることができるプログラムである条件付きアクセスプログラム（ＣＡ）を挙げることができる。さらなるサービスの例としては、例えば、最新交通情報サービス、マルチメディア及びその他のファイル、並びにプログラムサービスガイド（ＥＰＧ）を挙げることができる。本明細書で参照するサービス識別子は、特定のサービスを意味する。例えば、アナログ変調信号が９４．１ＭＨｚを中心とする場合、サービス識別子は、９４．１ＭＨｚのラジオ周波数を意味することができる。また、ＩＢＯＣデジタルラジオ放送における同じ放送が複数の補足オーディオ及びデータサービスを含むこともでき、それぞれが独自のサービス識別子を有することもできる。また、データ単位は、個々のビット、ニブル、バイト又は他のいずれかのデータの単位を意味することができる。
【００１０】
図１は、ＦＭ  ＩＢＯＣデジタルラジオ放送信号を放送するために使用できるスタジオサイト１０、ＦＭ送信機サイト１２及びスタジオ送信機リンク（ＳＴＬ）１４の例示的なコンポーネントの機能ブロック図である。スタジオサイト１０は、とりわけスタジオ自動化設備３４と、インポータ１８、エクスポータ２０及びエキサイタ補助サービスユニット（ＥＡＳＵ）２２を含むアンサンブルオペレーションズセンタ（ＥＯＣ）１６とを含む。ＳＴＬ送信機４８は、ＥＯＣ１６をＦＭ送信機サイト１２とリンクする。図示の送信機サイト１２は、ＳＴＬ受信機５４と、エキサイタエンジン（ｅｘｇｉｎｅ）サブシステム５８を含むエキサイタ５６と、アナログエキサイタ６０とを含む。図１には、エクスポータ２０がラジオ放送局のスタジオサイト１０に存在するように示しており、エキサイタ６０が送信サイト１２に位置するが、これらの要素は、送信サイト１２の同一場所に配置することもできる。
【００１１】
スタジオサイト１０では、スタジオ自動化設備３４が、ＥＡＳＵ２２にメインプログラムサービス（ＭＰＳ）オーディオ４２を供給し、エクスポータ２０にＭＰＳデータ４０を供給し、インポータ１８に補足プログラムサービス（ＳＰＳ）オーディオ３８を供給し、インポータ１８にＳＰＳデータ３６を供給する。ＭＰＳオーディオは、メインオーディオプログラミングソースとして機能する。ハイブリッドモードでは、ＭＰＳオーディオが、アナログ送信とデジタル送信の両方において既存のアナログラジオプログラミングフォーマットを維持する。プログラムサービスデータ（ＰＳＤ）としても知られているＭＰＳデータ又はＳＰＳデータは、音楽タイトル、アーティスト、アルバム名などの情報を含む。補足プログラムサービスは、補足オーディオコンテンツ、及びプログラムサービスデータを含むことができる。
【００１２】
インポータ１８は、高度アプリケーションサービス（ＡＡＳ）を提供するハードウェア及びソフトウェアを含む。ＡＡＳは、ＭＰＳ、ＳＰＳ又は放送局情報サービス（ＳＩＳ）として分類されないあらゆるタイプのデータを含むことができる。ＳＩＳは、コールサイン、絶対時間、ＧＰＳに相関する位置情報などの局情報を提供する。ＡＡＳの例としては、電子番組ガイド、ナビゲーション地図、リアルタイム交通及び天気情報、マルチメディアアプリケーション、他のオーディオサービス及び他のデータコンテンツのためのデータサービスが挙げられる。ＡＡＳのコンテンツは、アプリケーションプログラミングインターフェイス（ＡＰＩ）を介してインポータ１８にサービスデータ４６を提供するサービスプロバイダ４４によって提供することができる。サービスプロバイダは、スタジオサイトに位置する放送局とすることも、又は外部から供給されるサービス及びコンテンツの第三者プロバイダとすることもできる。インポータは、複数のサービスプロバイダ間のセッション接続を確立することができる。インポータは、サービスデータ４６、ＳＰＳオーディオ３８及びＳＰＳデータ３６を符号化し、多重化してエクスポータリンクデータ２４を生成し、データリンクを介してエクスポータに出力する。また、インポータは、ＡＡＳの一部として、サービス情報ガイド（ＳＩＧ）を符号化し、典型的にはＳＩＧ内でサービスを識別して記述する。例えば、ＳＩＧは、現在の周波数で利用できるサービスのジャンル（例えば、ＭＰＳオーディオ及びいずれかのＳＰＳオーディオのジャンル）を識別するデータを含むことができる。
【００１３】
エクスポータ２０は、放送のためのメインプログラムサービス及びＳＩＳを提供するのに必要なハードウェア及びソフトウェアを含む。エクスポータは、オーディオインターフェイスを介してデジタルＭＰＳオーディオ２６を受け入れて圧縮する。また、エクスポータは、ＭＰＳデータ４０、エクスポータリンクデータ２４及び圧縮デジタルＭＰＳオーディオを多重化してエキサイタリンクデータ５２を生成する。また、エクスポータは、そのオーディオインターフェイスを介してアナログＭＰＳオーディオ２８を受け入れ、予めプログラムされた遅延を適用して、遅延したアナログＭＰＳオーディオ信号３０を生成する。このアナログオーディオは、ハイブリッドＩＢＯＣデジタルラジオ放送のバックアップチャネルとして放送することができる。この遅延は、デジタルＭＰＳオーディオのシステム遅延を補償して、受信機によるデジタルプログラムとアナログプログラムとの混合を、時間的推移を伴わずに可能にする。ＡＭ送信システムでは、遅延したＭＰＳオーディオ信号３０がエクスポータによってモノラル信号に変換され、エキサイタリンクデータ５２の一部として直接ＳＴＬに送られる。
【００１４】
ＥＡＳＵ２２は、スタジオ自動化設備３４からのＭＰＳオーディオ４２を受け入れ、これを正しいシステムクロックに合わせて速度変換し、２つの信号コピー、すなわち１つのデジタル（２６）と１つのアナログ（２８）とを出力する。ＥＡＳＵ２２は、アンテナ２５に接続されたＧＰＳ受信機を含む。ＧＰＳ受信機は、ＥＡＳＵが、ＧＰＳユニットの使用によってエキサイタのクロックに同期したマスタークロック信号を得られるようにする。ＥＡＳＵは、エクスポータが使用するマスターシステムクロックを提供する。ＥＡＳＵは、エクスポータが壊滅的に故障してもはや動作できない場合に、アナログＭＰＳオーディオがエクスポータを通過しないように迂回（又はリダイレクト）させるためにも使用される。迂回したオーディオ３８をＳＴＬ送信機に直接供給して放送中断イベントを排除することができる。
【００１５】
ＳＴＬ送信機４８は、遅延したアナログＭＰＳオーディオ５０及びエキサイタリンクデータ５２を受け取る。ＳＴＬ送信機４８は、単方向又は双方向のいずれかとすることができるＳＴＬリンク１４を介してエキサイタリンクデータ及び遅延したアナログＭＰＳオーディオを出力することができる。ＳＴＬリンク１４は、例えばデジタルマイクロ波又はイーサネットリンクとすることができ、標準的なユーザデータグラムプロトコル又は標準的なＴＣＰ／ＩＰを使用することができる。
【００１６】
送信機サイト１２は、ＳＴＬ受信機５４、エキサイタエンジン（ｅｘｇｉｎｅ）５６及びアナログエキサイタ６０を含む。ＳＴＬ受信機５４は、ＳＴＬリンク１４を介して、オーディオ信号及びデータ信号と、コマンドメッセージ及び制御メッセージとを含む遅延したアナログＭＰＳオーディオ及びエキサイタリンクデータを受け取る。エキサイタリンクデータ６６はエキサイタ５６に受け渡され、エキサイタ５６は、ＩＢＯＣデジタルラジオ放送波形を生成する。また、矢印６８によって示すように、遅延したアナログＭＰＳオーディオはアナログエキサイタに提供される。エキサイタは、ホストプロセッサと、デジタルアップコンバータと、ＲＦアップコンバータと、ｅｘｇｉｎｅサブシステム５８とを含む。ｅｘｇｉｎｅは、エキサイタリンクデータを受け入れて、ＩＢＯＣデジタルラジオ放送波形のデジタル部分を変調する。エキサイタ５６のデジタルアップコンバータは、ｅｘｇｉｎｅ出力のベースバンド部分をデジタルからアナログに変換する。このデジタルからアナログへの変換は、ＥＡＳＵから導出されるエクスポータのＧＰＳベースクロックのものと共通のＧＰＳクロックに基づく。従って、エキサイタ５６は、ＧＰＳユニット及びアンテナ５７を含む。米国特許第７，５１２，１７５号には、エクスポータクロックとエキサイタクロックとを同期させる別の方法が記載されており、この文献の開示は、その全体が引用により本明細書に組み入れられる。エキサイタのＲＦアップコンバータは、アナログ信号を正しいインバンドチャネル周波数にアップコンバートする。このアップコンバートされた信号が、高出力増幅器（ＨＰＡ）６２及びアンテナ６４に受け渡されて放送される。ＡＭ送信システムでは、ｅｘｇｉｎｅサブシステムが、ハイブリッドモードにおいてデジタル波形にバックアップアナログＭＰＳオーディオをコヒーレントに付加し、従ってＡＭ送信システムはアナログエキサイタ６０を含まない。また、ＡＭ送信システムでは、エキサイタ５６が位相及び大きさ情報を生成し、アナログ信号が高出力増幅器に直接出力される。
【００１７】
ＩＢＯＣデジタルラジオ放送信号は、様々な波形を使用してＡＭラジオ帯域及びＦＭラジオ帯域の両方で送信することができる。これらの波形は、ＦＭハイブリッドＩＢＯＣデジタルラジオ放送波形、ＦＭ全デジタルＩＢＯＣデジタルラジオ放送波形、ＡＭハイブリッドＩＢＯＣデジタルラジオ放送波形、及びＡＭ全デジタルＩＢＯＣデジタルラジオ放送波形を含む。
【００１８】
図２は、ハイブリッドＦＭ  ＩＢＯＣ波形７０の概略図である。この波形は、放送チャネル７４の中心に位置するアナログ変調信号７２と、上側側波帯７８の複数の均等に離間した第１の直交周波数分割多重化サブキャリア７６と、下側側波帯８２の複数の均等に離間した第２の直交周波数分割多重化サブキャリア８０とを含む。デジタル変調サブキャリアはパーティションに分割され、様々なサブキャリアが基準サブキャリアとして指定される。周波数パーティションは、１８個のデータサブキャリアと１つの基準サブキャリアとを含む１９個のサブキャリアで構成されたグループである。
【００１９】
ハイブリッド波形７０は、アナログＦＭ変調信号とデジタル変調された一次メインサブキャリアとを加えたものを含む。サブキャリアは、均等に離間した周波数位置に存在する。サブキャリアの位置には、−５４６〜＋５４６の番号を付している。図示の波形７０では、サブキャリアが、＋３５６〜＋５４６の位置、及び−３５６〜−５４６の位置に存在する。各一次メイン側波帯は、１０個の周波数パーティションで構成される。やはり一次メイン側波帯に含まれるサブキャリア５４６及び−５４６は、付加的基準サブキャリアである。各サブキャリアの振幅は、振幅スケール因子によってスケーリングすることができる。
【００２０】
図３は、拡張ハイブリッドＦＭ  ＩＢＯＣ波形９０の概略図である。拡張ハイブリッド波形９０は、ハイブリッド波形内に存在する一次メイン側波帯７８及び８２に一次拡張側波帯９２及び９４を付加することによって形成される。各一次メイン側波帯の内側エッジに、１つ、２つ又は４つの周波数パーティションを付加することができる。拡張ハイブリッド波形９０は、アナログＦＭ信号とデジタル変調した一次メインサブキャリア（サブキャリア＋３５６〜＋５４６及び−３５６〜−５４６）とを加えたものと、一部又は全部の一次拡張サブキャリア（サブキャリア＋２８０〜＋３５５及び−２８０〜−３５５）とを含む。
【００２１】
上側の一次拡張側波帯は、サブキャリア３３７〜３５５（１つの周波数パーティション）、３１８〜３５５（２つの周波数パーティション）、又は２８０〜３５５（４つの周波数パーティション）を含む。下側の一次拡張側波帯は、サブキャリア−３３７〜−３５５（１つの周波数パーティション）、−３１８〜−３５５（２つの周波数パーティション）、又は−２８０〜−３５５（４つの周波数パーティション）を含む。各サブキャリアの振幅は、振幅スケール因子によってスケーリングすることができる。
【００２２】
図４は、全デジタルＦＭ  ＩＢＯＣ波形１００の概略図である。全デジタル波形１００は、アナログ信号を無効にして一次デジタル側波帯１０２及び１０４の帯域幅を完全に拡張し、アナログ信号によって明け渡されたスペクトル内に低出力の二次側波帯１０６及び１０８を付加することによって構成される。図示の実施形態における全デジタル波形１００は、−５４６〜＋５４６のサブキャリア位置にデジタル変調されたサブキャリアを含み、アナログＦＭ信号を含まない。
【００２３】
全デジタル波形の各一次側波帯には、１０個のメイン周波数パーティションに加えて４つの拡張周波数パーティションが全て存在する。各二次側波帯も、１０個の二次メイン（ＳＭ）周波数パーティションと、４つの二次拡張（ＳＸ）周波数パーティションとを有する。しかしながら、一次側波帯とは異なり、二次メイン周波数パーティションはチャネルの中心近くにマッピングされ、拡張周波数パーティションは中心から離れている。
【００２４】
各二次側波帯は、１２個のＯＦＤＭサブキャリアと基準サブキャリア２７９及び−２７９とを含む小さな二次保護（ＳＰ）領域１１０及び１１２もサポートする。これらの側波帯は、アナログ干渉又はデジタル干渉の影響を最も受けにくいスペクトル領域に位置するので、「保護」と呼ばれる。チャネルの中心（０）には、付加的基準サブキャリアが配置される。ＳＰ領域は、周波数パーティションを含まないので、ＳＰ領域では周波数パーティションの順序付けが適用されない。
【００２５】
各二次メイン側波帯は、１〜１９０又は−１〜−１９０のサブキャリアに及ぶ。上側の二次拡張側波帯は、１９１〜２６６のサブキャリアを含み、上側の二次保護側波帯は、２６７〜２７８のサブキャリアに付加的基準サブキャリア２７９を加えたものを含む。下側の二次拡張側波帯は、−１９１〜−２６６のサブキャリアを含み、下側の二次保護側波帯は、−２６７〜−２７８のサブキャリアに付加的基準サブキャリア−２７９を加えたもの含む。完全な全デジタルスペクトルの総周波数範囲は、最大３９６，８０３Ｈｚとすることができる。各サブキャリアの振幅は、振幅スケール因子によってスケーリングすることができる。
【００２６】
波形７０、９０、１００の各々では、直交周波数分割多重方式（ＯＦＤＭ）を用いてデジタル信号が変調される。ＯＦＤＭは、データストリームが数多くの直交サブキャリアを変調してこれらを同時に送信する並列変調スキームである。ＯＦＤＭは、本質的に柔軟であり、論理チャネルを異なるサブキャリアグループに容易にマッピングすることができる。
【００２７】
ハイブリッド波形７０では、ハイブリッド波形内のアナログＦＭ信号の両側の一次メイン（ＰＭ）側波帯でデジタル信号が送信される。各側波帯の出力レベルは独立して調整され、アナログＦＭ信号の総出力を大幅に下回る。アナログ信号は、モノラル又はステレオとすることができ、下位通信許可（ＳＣＡ）チャネルを含むことができる。
【００２８】
拡張ハイブリッド波形９０では、ハイブリッド側波帯の帯域幅をアナログＦＭ信号に向かって拡張してデジタル容量を増加させることができる。この各一次メイン側波帯の内側エッジに割り当てられる追加スペクトルは、一次拡張（ＰＸ）側波帯と呼ばれる。
【００２９】
全デジタル波形１００では、アナログ信号が除去され、一次デジタル側波帯の帯域幅（又は１つしか使用しない時には一方の側波帯）が拡張ハイブリッド波形と同様に完全に拡張される。また、この波形では、アナログＦＭ信号によって明け渡されたスペクトルで低出力の二次デジタル側波帯を送信することができる。
【００３０】
図５は、ＡＭハイブリッドＩＢＯＣデジタルラジオ放送波形１２０の概略図である。このハイブリッドフォーマットは、（約±５ｋＨｚに帯域制限された）従来のＡＭアナログ信号１２２と、最大約３０ｋＨｚ幅のデジタルラジオ放送信号１２４とを含む。スペクトルは、約３０ｋＨｚの帯域幅を有するチャネル１２６内に含まれる。このチャネルは、上側周波数帯域１３０と下側周波数帯域１３２とに分割される。上側帯域は、チャネルの中心周波数から、中心周波数から約＋１５ｋＨｚにまで広がる。下側帯域は、中心周波数から、中心周波数から約−１５ｋＨｚにまで広がる。
【００３１】
１つの例のＡＭハイブリッドＩＢＯＣデジタルラジオ放送信号フォーマットは、アナログ変調キャリア信号１３４と、上側帯域及び下側帯域に及ぶＯＦＤＭサブキャリア位置とを加えたものを含む。これらのサブキャリア上では、送信すべきオーディオ信号又はデータ信号（プログラム材料）を表す符号化デジタル情報が送信される。シンボルレートは、シンボル間のガード時間に起因してサブキャリア間隔よりも小さい。
【００３２】
図５に示すように、上側帯域は、一次区分１３６、二次区分１３８及び三次区分１４４に分割される。下側帯域は、一次区分１４０、二次区分１４２及び三次区分１４３に分割される。図５では、この説明のために、三次区分１４３及び１４４を、１４６及び１５２で表す複数のサブキャリアグループを含むものと見なすことができる。チャネルの中心近くに位置する三次区分内のサブキャリアは、内側サブキャリアと呼ばれ、チャネルの中心から離れて位置する三次区分内のサブキャリアは、外側サブキャリアと呼ばれる。三次区分内のサブキャリアグループ１４６及び１５２は、実質的に一定の出力レベルを有する。また、図５には、システム制御のための２つの基準サブキャリア１５４及び１５６も示しており、これらのレベルは他の側波帯と異なる値に固定される。
【００３３】
デジタル側波帯内のサブキャリアの出力は、アナログＡＭ信号の総出力を大幅に下回る。所与の一次又は二次区分内の各ＯＦＤＭサブキャリアのレベルは、一定値に固定される。一次区分又は二次区分は、相対的にスケーリングすることができる。また、メインキャリアの両側に位置する基準サブキャリア上では、ステータス情報及び制御情報が送信される。上側及び下側二次側波帯の周波数エッジの真上又は真下の個々のサブキャリアでは、ＩＢＯＣデータサービス（ＩＤＳ）チャネルなどの別個の論理チャネルを送信することができる。通常、各一次ＯＦＤＭサブキャリアの出力レベルは、未変調メインアナログキャリアに対して固定される。一方で、二次サブキャリア、論理チャネルサブキャリア及び三次サブキャリアの出力レベルは調整可能である。
【００３４】
アナログ変調キャリア及びデジタル変調サブキャリアは、図５の変調フォーマットを用いて、米国内の標準的なＡＭ放送に指定されたチャネルマスク内で送信される。ハイブリッドシステムは、チューニング及びバックアップにアナログＡＭ信号を使用する。
【００３５】
図６は、全デジタルＡＭ  ＩＢＯＣデジタルラジオ放送波形のサブキャリア割り当ての概略図である。全デジタルＡＭ  ＩＢＯＣデジタルラジオ放送信号１６０は、上側帯域１６６及び下側帯域１６８に位置する、一次サブキャリアと呼ばれる均等に離間した第１及び第２のサブキャリアグループ１６２及び１６４を含む。また、上側帯域１６６及び下側帯域１６８には、二次サブキャリアと呼ばれる第３及び第４のサブキャリアグループ１７０及び１７２も位置する。チャネルの最も中心近くには、第３のグループの２つの基準サブキャリア１７４及び１７６が存在する。サブキャリア１７８及び１８０は、プログラム情報データの送信に使用することができる。
【００３６】
図７ａ及び図７ｂは、送信機側から見たＩＢＯＣデジタルラジオ放送論理プロトコルスタックの図である。受信機側から見ると、この論理スタックは逆方向に進む。プロトコルスタック内の様々なエンティティ間で受け渡されるデータの大半は、プロトコルデータ単位（ＰＤＵ）の形を取る。ＰＤＵは、プロトコルスタックの特定の層（又は層内のプロセス）によって生成される構造化データブロックである。所与の層のＰＤＵは、スタックの次の上位層からのＰＤＵをカプセル化し、及び／又はその層（又はプロセス）自体に由来するコンテンツデータ及びプロトコル制御情報を含むことができる。送信機プロトコルスタック内の各層（又はプロセス）によって生成されるＰＤＵは、受信機プロトコルスタック内の対応する層（又はプロセス）への入力である。
【００３７】
図７ａ及び図７ｂに示すように、プロトコルスタック内の様々なエンティティに構成及び制御情報を提供するシステム機能である構成アドミニストレータ３３０が存在する。構成／制御情報は、ユーザが定めた設定と、ＧＰＳ時間及びＧＰＳ位置などのシステム内から生成される情報とを含むことができる。サービスインターフェイス３３１は、全てのサービスのためのインターフェイスを表す。サービスインターフェイスは、様々なタイプのサービス毎に異なることができる。例えば、ＭＰＳオーディオ及びＳＰＳオーディオでは、サービスインターフェイスをオーディオカードとすることができる。ＭＰＳデータ及びＳＰＳデータでは、インターフェイスが異なるＡＰＩの形を取ることができる。他の全てのデータサービスでは、インターフェイスが単一のＡＰＩの形を取ることができる。オーディオエンコーダ３３２は、ＭＰＳオーディオとＳＰＳオーディオの両方を符号化して、ＭＰＳ及びＳＰＳオーディオ符号化パケットのコアストリーム（ストリーム０）と任意の拡張ストリーム（ストリーム１）とを生成し、これらがオーディオトランスポート３３３に受け渡される。また、オーディオエンコーダ３３２は、システムの他の部分に未使用の容量状態を中継することによって日和見的データの包含も可能にする。ＰＳＤトランスポート３３４は、ＭＰＳ及びＳＰＳデータを処理してＭＰＳ及びＳＰＳデータＰＤＵを生成し、これらのデータがオーディオトランスポート３３３に受け渡される。オーディオトランスポート３３３は、符号化オーディオパケットとＰＳＤ  ＰＤＵとを受け取り、圧縮オーディオデータとプログラムサービスデータとを含むビットストリームを出力する。ＳＩＳトランスポート３３５は、構成アドミニストレータからＳＩＳデータを受け取ってＳＩＳ  ＰＤＵを生成する。ＳＩＳ  ＰＤＵは、局の識別及び位置情報、提供するオーディオ及びデータサービスに関する指示、ＧＰＳに相関する絶対時間及び位置、並びに局が伝えるその他の情報を含むことができる。ＡＡＳデータトランスポート３３６は、サービスインターフェイスからのＡＡＳデータと、オーディオトランスポートからの日和見的帯域幅データとを受け取って、サービスパラメータの品質に基づくことができるＡＡＳデータＰＤＵを生成する。トランスポート及び符号化機能は、まとめてプロトコルスタックのレイヤ４と呼ばれ、対応するトランスポートＰＤＵは、レイヤ４  ＰＤＵ又はＬ４  ＰＤＵと呼ばれる。チャネル多重化層であるレイヤ２（３３７）は、ＳＩＳトランスポート、ＡＡＳデータトランスポート及びオーディオトランスポートからトランスポートＰＤＵを受け取り、これらをレイヤ２  ＰＤＵにフォーマットする。レイヤ２  ＰＤＵは、プロトコル制御情報と、オーディオ、データ、又はオーディオとデータの組み合わせとすることができるペイロードとを含む。レイヤ２  ＰＤＵは、正しい論理チャネルを通じてレイヤ１（３３８）にルーティングされ、ここでの論理チャネルとは、指定されたサービス等級でレイヤ１を通じてＬ１  ＰＤＵを伝える信号経路のことであり、場合によっては所定の一群のサブキャリア内にマッピングされる。スループット、性能レベル及び選択された論理チャネルを指定する動作パラメータの特定の構成であるサービスモードに基づくレイヤ１論理チャネルは複数存在する。アクティブなレイヤ１論理チャネルの数、及びこれらを定める特性は、サービスモード毎に異なる。レイヤ２とレイヤ１の間では、ステータス情報も受け渡される。レイヤ１は、レイヤ２からのＰＤＵ及びシステム制御情報をＡＭ又はＦＭ  ＩＢＯＣデジタルラジオ放送波形に変換して送信する。レイヤ１の処理は、スクランブリング、チャネル符号化、インターリービング、ＯＦＤＭサブキャリアマッピング及びＯＦＤＭ信号生成を含むことができる。ＯＦＤＭ信号生成の出力は、特定のシンボルのＩＢＯＣ信号のデジタル部分を表す複合ベースバンド時間領域パルスである。離散シンボルを連結すると、連続する時間領域波形が形成され、この波形を変調すると、送信するＩＢＯＣ波形が生成される。
【００３８】
デジタルラジオ放送受信機は、送信機について説明した機能のいくつかの逆を実行する。図８は、デジタルオーディオ放送（ＤＡＢ）信号の受信及び復号を可能にするコンポーネントを含むデジタルラジオ受信機４００の簡略的機能ブロック図である。例示的なデジタルラジオ受信機４００は、例えばＡＭ又はＦＭ  ＩＢＯＣ受信機などのＤＡＢ受信機とすることができる。例示を目的として受信機４００の特定のコンポーネントしか示していないが、受信機は、複数の追加コンポーネントを含むことができ、チューナ、フロントエンド、スピーカ、遠隔制御装置、様々な入力／出力装置などを有する複数の別個のエンクロージャ間で分散できることが明らかなはずである。受信機４００では、全デジタル波形、全アナログ波形又はハイブリッドＩＢＯＣ波形で変調できるラジオ信号を受信するＡＭアンテナ４４２及びＦＭアンテナ４４３などの１又は２以上のアンテナ上でＤＡＢ信号が受け取られる。チューナ４４１は、受け取ったＤＡＢ信号を処理して中間周波数（ＩＦ）信号４４４を生成してフロントエンド回路４４５に受け渡し、フロントエンド４４５回路は、ＩＦ信号をベースバンド信号４４６に変換する。例えば、チューナ４４１は、関心周波数帯（例えば、ｆc）を通すバンドパスプリセレクトフィルタと、フィルタ処理された信号を増幅する低ノイズ増幅器（ＬＮＡ）と、増幅された信号を同調可能なローカル発信器信号ｆloと混合して和信号（ｆc＋ｆlo）及び差信号（ｆc−ｆlo）を生成するミキサとを含み、これらの信号が中間周波数フィルタに供給され、中間周波数フィルタは、関心変調信号における中間周波数信号ｆifをライン４４４上に通す。フロントエンド回路４４５では、アナログデジタルコンバータ（ＡＤＣ）が、周波数シフト、フィルタ及びデシメーションを適用して低サンプリングレートの同相直交信号であるベースバンド信号４４６を生成することによってデジタル的にダウンコンバートされたデジタルサンプルを生成することができる。プロセッサ４４７は、（後述する）図９によって説明する論理プロトコルスタックに従ってベースバンド信号４４６を処理して復号デジタルオーディオ信号４４８及び復号デジタルデータ信号４４９を生成する。長々とした詳細の説明を省くと、プロセッサ４４７は、ベースバンド信号４４６のアナログ変調部分を復調してアナログオーディオ信号を生成するアナログ復調器と、ベースバンド信号４４６のデジタル変調部分を復調してデジタル信号を生成するデジタル復調器とを含むＡＭ／ＦＭベースバンドプロセッサとして具体化することができ、デジタル信号をデインターリーブしてビタビ復号した後に別個のメインプログラム信号及び補足プログラム信号に逆多重化し、これらの信号を処理してメインデジタルオーディオ信号を形成し、これをアナログオーディオ信号と混合してライン４４８上のオーディオ出力を生成することができる。
【００３９】
デジタルアナログ（ＤＡＣ）コンバータ４５０は、復号デジタルオーディオ信号４４８をアナログ信号に変換してアンプ４５１に受け渡し、アンプ４５１は、１又は２以上のスピーカ、ヘッドホン又は他のいずれかのタイプのオーディオ出力装置とすることができるオーディオシンク又はその他の出力装置４５２に出力してオーディオ出力を生成する。復号デジタルデータ信号４４９は、インターインテグレーテッドサーキット（Ｉ２Ｃ）、シリアル周辺機器インターフェイス（ＳＰＩ）、汎用非同期送受信回路（ＵＡＲＴ）、又はユニバーサルシリアルバス（ＵＳＢ）などの好適なバス上にまとめて多重化できる１又は２以上のデータライン４４９を介してホストコントローラ４５３に受け渡される。データ信号は、例えばＳＩＳ、ＭＰＳデータ、ＳＰＳデータ及び１又は２以上のＡＡＳを含むことができる。ホストコントローラ４５３は、８ビット縮小命令セットコンピュータ（ＲＩＳＣ）マイクロコントローラ、アドバンストＲＩＳＣ３２ビットマイクロコントローラ、又は他のいずれかの好適なマイクロコントローラなどのいずれかの好適なマイクロコントローラを用いて、データ信号（例えば、ＳＩＳ、ＭＰＳＤ、ＳＰＳＤ及びＡＡＳ信号）を受け取って処理する。また、ホストコントローラ４５３の機能の一部又は全部は、ベースバンドプロセッサ（例えば、プロセッサ４４７）において実行することもできる。いくつかの実施形態では、ホストコントローラ４５３が、キーボード、ダイヤル、ノブ、又はその他の好適な入力部からのユーザ入力を制御することもできる。ホストコントローラ４５３は、テキスト又は画像などの視覚的データ表現を出力するディスプレイ４５５を含むことができるユーザインターフェイス（ＵＩ）４５４にデジタルデータ４５６を送る。ホストコントローラ４５３は、プロセッサ４４７及びユーザインターフェイス４５４との間でステータス情報４５７ａ及び制御情報４５７ｂの交換も行う。
【００４０】
受信機４００は、プロセッサ４４７によって使用される、メモリバスを共有してプロセッサと通信できるメモリ４５８及び４５９と、ユーザによって選択されたプログラムコンテンツを記憶するメモリ４６０とを含むこともできる。メモリ４６０は、マルチメディアカード（ＭＭＣ）などの取り外し不可能な記憶装置であることが好ましい。ハードディスク、フラッシュメモリ、ＵＳＢメモリ、メモリスティックなどの他の好適なタイプの記憶装置を使用することもできる。
【００４１】
実際には、図８の受信機４００内に示す信号処理機能の多くは、１又は２以上の集積回路を使用して実装することができる。例えば、信号処理ブロック、ホストコントローラ及びメモリモジュールは、別個のコンポーネントとして示しているが、これらのコンポーネントのうちの２又は３以上のコンポーネントの機能を単一のプロセッサ（例えば、システムオンチップ（ＳｏＣ））内で組み合わせることもできる。
【００４２】
図９に、受信機側から見た論理プロトコルスタックを示す。信号の復調及び論理チャネルに分離する処理を行う物理層であるレイヤ１（５６０）によってＦＭ  ＩＢＯＣ波形が受け取られる。論理チャネルの数及び種類はサービスモードに依存し、論理チャネルＰ１〜Ｐ３、一次ＩＢＯＣデータサービス論理チャネル（ＰＩＤＳ）、Ｓ１〜Ｓ５及びＳＩＤＳを含むことができる。また、データサービスのための論理チャネルは、例えば時分割多重化によってサブチャネルに分割することができる。これらのサブチャネルは、論理チャネルのさらなる分割可能性を提供してさらなる種類のデータサービスを容易にすることができる。
【００４３】
レイヤ１は、論理チャネルに対応するＬ１  ＰＤＵを生成してレイヤ２（５６５）に送り、レイヤ２（５６５）は、Ｌ１  ＰＤＵを逆多重化して、ＳＩＳ  ＰＤＵと、ＡＡＳ  ＰＤＵと、メインプログラムサービス及びあらゆる補足プログラムサービスのためのＰＳＤ  ＰＤＵと、ストリーム０（コア）オーディオＰＤＵ及びストリーム１（任意の拡張された）オーディオＰＤＵとを生成する。その後、ＳＩＳトランスポート５７０がＳＩＳ  ＰＤＵを処理してＳＩＳデータを生成し、ＡＡＳトランスポート５７５がＡＡＳ  ＰＤＵを処理してＡＡＳデータを生成し、ＰＳＰトランスポート５８０がＰＤＳ  ＰＤＵを処理して、ＭＰＳデータ（ＭＰＳＤ）及びいずれかのＳＰＳデータ（ＳＰＳＤ）を生成する。また、ＡＡＳ  ＰＤＵにはカプセル化されたＰＳＤデータを含めることもでき、従ってＡＡＳトランスポートプロセッサ５７５は、このデータを処理してライン５７７上でＰＳＤトランスポートプロセッサ５８０に供給し、ＰＳＤトランスポートプロセッサ５８０がさらに処理してＭＤＳＤ又はＳＰＳＤを生成する。その後、ＳＩＳデータ、ＡＡＳデータ、ＭＰＳＤ及びＳＰＳＤは、ユーザインターフェイス８５に送られる。この結果、ユーザによって要求された場合、ＳＩＳデータを表示することができる。同様に、ＭＰＳＤ、ＳＰＳＤ及びいずれかのテキストベースの又は図形的なＡＡＳデータを表示することもできる。ストリーム０及びストリーム１のＰＤＵは、オーディオトランスポート５９０及びオーディオデコーダ５９５で構成されたレイヤ４によって処理される。ＩＢＯＣ波形上で受け取られたプログラムの数に対応する最大Ｎ個のオーディオトランスポートが存在することができる。各オーディオトランスポートは、受け取られた各プログラムに対応する符号化ＭＰＳパケット又はＳＰＳパケットを生成する。レイヤ４は、プログラムの記憶又は再生などのためのコマンドを含む、ユーザインターフェイスからの制御情報と、全デジタル又はハイブリッドＩＢＯＣ信号を放送するラジオ局の探索又は走査に関連する情報とを受け取る。レイヤ４は、ユーザインターフェイスにステータス情報も提供する。
【００４４】
上述したように、ＩＢＯＣデジタルラジオ放送信号は、アナログ変調キャリア（例えば、周波数変調（ＦＭ）又は振幅変調（ＡＭ））と複数のデジタル変調キャリア（例えば、直交周波数分割多重方式（ＯＦＤＭ）サブキャリア）との組み合わせを含むハイブリッドフォーマットで送信することができる。従って、ハイブリッドモードで動作するデジタルラジオ放送受信機は、デジタルラジオ放送オーディオ信号のアナログ部分（例えば、ＦＭ又はＡＭ）とデジタル部分（例えば、ＯＦＤＭ）の両方を復号する。
【００４５】
デジタルラジオ放送オーディオ信号のデジタル部分が存在しない場合（例えば、最初にチャネルへの同調が行われた場合、又はチャネルが停止している場合）には、オーディオ出力にアナログＡＭ又はＦＭバックアップオーディオ信号が供給される。デジタル信号が利用可能になると、ベースバンドプロセッサ（例えば、４４７）は、混合作用又はオーディオ遷移作用を実施して、遷移が最小限しか気付かれないようにデジタルオーディオ信号に付加しながらアナログバックアップ信号を滑らかに減衰させて最終的には除去する。デジタル信号を破損するチャネル停止中にも同様の遷移が行われる。ダイバーシティ遅延時間中には、巡回冗長検査（ＣＲＣ）エラー検出手段を通じて破損を検出することができる。この場合、オーディオ出力においてデジタル破損が生じると、オーディオが完全にアナログに遷移するように、ＤＡＢ信号を減衰させながら徐々に出力オーディオ信号内にアナログ信号を遷移させる。さらに、受信機は、デジタル信号が存在しない場合には常にアナログオーディオ信号を出力する。
【００４６】
例示的なデジタルオーディオ放送受信機では、アナログバックアップ信号を検出して復調し、４４．１ｋＨｚのオーディオサンプリングストリーム（ＦＭの場合、低ＳＮＲ条件下でさらにモノラルに混合し又はミュートすることができるステレオオーディオ）を生成する。４４．１ｋＨｚでは、各オーディオサンプルの継続時間が約２２．６７マイクロ秒である。４４．１ｋＨｚのサンプルレートは、受信機のフロントエンドクロックと同期する。ベースバンドプロセッサ（例えば、４４７）内のオーディオサンプルデコーダも、約４４．１ｋＨｚのオーディオサンプルを生成する。送信機の４４．１ｋＨｚクロックと受信機の４４．１ｋＨｚクロックとがわずかに異なると、オーディオコンテンツが異なる時点に開始して最終的には時間と共に分離してしまうことがあるので、アナログ信号サンプルとデジタル信号サンプルの単純な１対１の組み合わせが妨げられる。従って、オーディオサンプルの整合を維持するように、送信機クロックと受信機クロックは同期すべきである。
【００４７】
図１０は、選択的な実施形態による、受信したハイブリッドラジオ放送信号に含まれているデジタルオーディオ信号とアナログオーディオ信号とを整合させて混合する例示的なデジタル放送受信機の簡略化したタイミングブロック図である。ハイブリッド信号は、アンテナ４４２において受け取られると、通常は実装に依存する一定の時間量である時間ＴＡＮＴにわたって処理される。その後、受信ハイブリッド信号は、ＩＢＯＣ信号デコーダ６００によるデジタル化、復調及び復号を受け、まず上述したアナログデジタルコンバータ（ＡＤＣ）４４５が、通常は実装に依存する一定の時間量である時間ＴＡＤＣにわたって信号を処理してデジタルサンプルを生成し、これをダウンコンバートして低サンプリングレートの出力デジタル信号を生成する。
【００４８】
ＩＢＯＣ信号デコーダ６００では、デジタル化されたハイブリッド信号がデジタル信号経路６０１とアナログ信号経路６０２とに分割されて復調及び復号が行われる。アナログ信号経路６０２では、通常は実装に依存する一定の時間量である時間ＴANALOGにわたって受信ハイブリッド信号のアナログ部分を処理し、受信ハイブリッド信号のアナログ部分を表すオーディオサンプルを生成する。デジタル信号経路６０１では、以下でさらに詳細に説明するようにデジタル信号を取得し、復調して、デジタルオーディオサンプルに復号する。デジタル信号経路６０１における処理は、デジタル信号の取得時間とデジタル信号経路６０１の復調時間とに依存する可変時間ＴDIGITALを必要とする。取得時間は、フェージング及びマルチパスなどのラジオ波伝播干渉に起因するデジタル信号の強度に応じて異なることができる。デジタル信号経路６０１は、特定の実装に基づいてデータのバッファリングをほんのわずかしか又は全く行わないほぼ確定的な処理を用いて、レイヤ１処理を適用して受信デジタルＩＢＯＣ信号を復調する。その後、デジタル信号経路６０１は、結果として得られたデータを１又は２以上の上位層モジュールに供給し、この上位層モジュールが、復調されたデジタル信号を復号してオーディオ品質を最大化する。選択的な実施形態では、上位層での復号処理が、無線状態に基づく受信信号のバッファリングを伴う。選択的な実施形態では、（単複の）上位層モジュールが、ＩＢＯＣサービスモード（ＭＰ１〜ＭＰ３、ＭＰ５、ＭＰ６、ＭＰ１１、ＭＡ１及びＭＡ３）毎に確定的処理を実行することができる。後述するように、上位層での復号処理は、オーディオ遷移又は混合モジュール６０３におけるオーディオ信号とアナログ信号の混合を導く混合決定モジュールを含む。オーディオ遷移モジュール６０３における混合決定処理に必要な時間は、一定の時間量ＴBLENDである。
【００４９】
オーディオ遷移又は混合モジュール６０３では、アナログからデジタルへの不必要な混合を避けるようにデジタル信号経路６０１からの誘導制御シグナリングを使用して、デジタル信号からのサンプルを（アナログ信号経路６０２から直接供給される）アナログ信号からのサンプルと整合させて混合する。オーディオ遷移モジュール６０３におけるデジタル信号とアナログ信号の整合及び混合に必要な時間は、一定の時間量ＴTRANSITIONである。最終的に、この結合したデジタル化オーディオ信号は、通常は実装に依存する一定の時間量である処理時間ＴＤＡＣ中にデジタルアナログコンバータ（ＤＡＣ）４５０によってアナログに変換されてレンダリングされる。
【００５０】
図１１は、アナログオーディオ信号とデジタルオーディオ信号とを整合させる処理の例示的な機能ブロック図である。図示の機能は、本明細書で説明した機能を実行するように構成された（例えば、ソフトウェア及び／又はファームウェアでプログラムされた）１又は２以上の処理ユニットを含むことができる処理システムを具体化するベースバンドプロセッサ（例えば、図８の４４７）において実行することができ、ベースバンドプロセッサの処理システムは、いずれかの好適なメモリ（例えば、ＲＡＭ、フラッシュＲＯＭ、ＲＯＭ）に好適に結合することができる。例えば、当業で周知の方法によって、１又は２以上のプロセッサとメモリとを有する処理システムを含む半導体チップを製造することができ、例えば、必要であれば既知の方法に従って単一の半導体チップ内に処理システム及びメモリを配置することができる。
【００５１】
ベースバンドプロセッサでは、アナログ部分とデジタル部分の両方を含む受信信号サンプル６０４が分割モジュール６０６に入力され、ここで当業者に周知の信号分割技術（例えば、フィルタ）を用いてベースバンド入力信号をデジタル信号経路６０１とアナログ信号経路６０２とに分割する。デジタル信号経路６０１では、デジタルサンプルがフロントエンドモジュール６０７に入力され、フロントエンドモジュール６０７は、干渉する隣接ＦＭ信号帯域を減衰させる任意の第１の隣接キャンセラを通過したＤＡＢの上側及び下側側波帯を分離フィルタを用いてフィルタ処理して分離することなどによって、デジタル信号を含むシンボルをフィルタ処理して分配した後に、フィルタ処理済みの関心サンプルをシンボルディスペンサ（例えば、ＲＡＭバッファ）内に蓄積させる。
【００５２】
フロントエンドモジュール６０７からのデジタルサンプルは取得モジュール６０８に入力され、取得モジュール６０８は、受け取ったＯＦＤＭシンボルからＯＦＤＭシンボルタイミングオフセット又はエラーと、キャリア周波数オフセット又はエラーとを取得し、又はこれらを回復させる。取得モジュール６０８は、フロントエンドモジュール６０７のシンボルディスペンサ内のポインタの位置を調整する取得シンボルオフセット信号も生成する。取得モジュール６０８は、デジタル信号を取得した旨を示すと、取得シンボルオフセットを用いて、取得時間に基づいてシンボルディスペンサ内のサンプルポインタの位置を調整し、制御ライン６１１を介してデジタル復調器６１２を呼び出す。
【００５３】
この結果、デジタル復調器６１２がデジタル信号を受信し、受信した圧縮オーディオデータのデインターリービング、符号合成、ＦＥＣ復号及びエラーフラッギングという全ての必要な動作を実行する。その後、上位層モジュール６１３にベースバンド信号が受け渡され、上位層モジュール６１３は、オーディオ信号及びデータ信号を逆多重化してオーディオトランスポート復号（例えば、図９に関連して上述したレイヤ２、及びレイヤ４のオーディオトランスポート部分）を実行する。上位層モジュール６１３におけるオーディオトランスポート処理の結果、メインプログラム及び補足プログラムのための圧縮オーディオパケットが抽出され、オーディオパケットバッファ６１４に記憶される。各モデムフレームからのオーディオ情報を処理するオーディオデコーダ６１５は、オーディオパケットバッファ６１４から圧縮オーディオパケットを受け取って、ここからＰＣＭオーディオサンプルを生成する。オーディオデコーダ６１５は、デジタルオーディオパケットを解凍して、これらを待ち行列に入れるオーディオ混合遅延出力バッファ６１６に出力するように構成されたコーデック（ＨＤＣ）として具体化することができる。オーディオ混合遅延出力バッファ６１６は、デジタルオーディオサンプルの前縁が同等のアナログサンプルと整合するように整合モジュール６０９において計算された量の遅延をオーディオサンプルに導入する、ＲＡＭに実装された先入れ先出し（ＦＩＦＯ）などのいずれかの好適なメモリとすることができる。
【００５４】
整合モジュール６０９は、粗遅延６１０Ａ及び微細遅延６１０Ｂを含む遅延量６１０を計算する。通常、整合モジュール６０９は、例えば受信機を新たな周波数にチューニングした時点、又は現在の信号の喪失時点及び次の再取得時点などの、新たな信号の取得時に遅延量を決定する。受信機では、レイヤ１（例えば、フロントエンドモジュール６０７、取得モジュール６０８及びデジタル復調器６１２）が、上位層（例えば、上位層６１３及びオーディオデコーダ６１５）とは異なる速度で動作することができる。通常、レイヤ１の処理時間は、サンプル／ＰＤＵへのフロントエンド割り込み（入力）によって決定され、上位層の処理時間は、パケットへのＤＡＣ割り込み（出力）によって決定される。２つの異なるシステムが２つの異なる時間尺度で処理を促すので、第１のサンプルがレイヤ２のインターフェイスに到達するまでレイヤ１で費やす時間を表す時間量データを決定するように整合モジュール６０９を構成することによって、両システムを同じ時間尺度に置くことが望ましい。この時点は、処理がサンプル／ＰＤＵからパケットに変化する時点である。
【００５５】
オーディオ混合遅延出力バッファ６１６に提供される粗遅延６１０Ａは、ダイバーシティ遅延と受信機における一定の処理遅延とを考慮した所定の一定値であり、デジタル信号からのオーディオサンプルとアナログ信号からのオーディオサンプルとを±１オーディオフレームの精度で一時的に整合させるために使用される。従って、粗遅延６１０Ａの値は実装固有であり、ＡＭモード及びＦＭモードで異なることができる。微細遅延バッファ６１７に提供される微細遅延６１０Ｂは、受信機のアナログ経路の処理遅延とデジタル経路の処理遅延との間のわずかな差分を考慮した所定の一定値であり、デジタル信号からのオーディオサンプルとアナログ信号からのオーディオサンプルとをオーディオサンプルの精度で整合させるために使用される。従って、微細遅延の値も実装固有であり、ＡＭモード及びＦＭモードで異なることができる。
【００５６】
整合モジュール６０９が遅延量を決定すると、バッファ内の読み取りポインタをそれぞれの遅延量だけ調整することによって、粗事前復号遅延６１０Ａ及び微細遅延６１０Ｂがオーディオ混合遅延出力バッファ６１６及び微細遅延バッファ６１７にそれぞれ挿入される。サンプルの遅延量は、完全なオーディオフレーム（例えば、２０４８サンプル）のサイズ次第で正又は負とすることができる。その後、デジタル信号経路６０１からの遅延したオーディオサンプル６３１が、デジタルオーディオフレームとしてオーディオ遷移モジュール６０３に出力される。
【００５７】
信号のアナログ部分からのサンプルは、分割モジュール６０６から出力されてアナログ前処理回路６２２に入力され、アナログ前処理回路６２２は、サンプルの初期処理（例えば、サンプルバッファリング及びノイズフィルタリング）を実行する。次に、サンプルはアナログ復調器６２４に入力され、ここでサンプルをアナログオーディオサンプルに復調する。次に、アナログオーディオサンプルは非同期サンプリングレートコンバータ（ＳＲＣ）に入力され、ここで受信機の基準クロックに基づくアナログオーディオサンプルのサンプリングレートを、デジタル復調器６１２から取得された送信機の基準クロックと一致するように調整する。次に、アナログオーディオサンプルはアナログサンプルバッファ６２８を通過し、ここで例えば１０２４又は２０４８オーディオステレオサンプルのアナログオーディオフレームに構成した後で、アナログ信号経路６０２からのオーディオサンプル６３２としてオーディオ遷移モジュール６０３に入力することができる。
【００５８】
オーディオ遷移モジュール６０３では、オーディオ混合遅延出力バッファ６１６及び微細遅延バッファ６１７内の解凍されたデジタルオーディオサンプルを、混合作用モジュール６１９によって生成された遷移制御信号６３３の制御下でアナログオーディオサンプルと組み合わせる。この遷移制御信号は、信号のアナログ部分とデジタル部分の相対量を制御し、これを用いてデジタルオーディオを増加又は減少させることによって出力を形成する。その後、オーディオ遷移モジュール６０３は、デジタル的に組み合わせた信号をＤＡＣ４５０に出力し、ここで信号をアナログオーディオに変換してレンダリングする。
【００５９】
通常、遷移制御信号６３３は、信号対雑音比又はデジタルキャリア対雑音密度比Ｃｄ／Ｎｏなどの、信号のデジタル部分の何らかの劣化測定に応答し、アナログオーディオからデジタルオーディオへの切り替えを慎重にするために使用される。Ｃｄ／Ｎｏが全体的に低いチャネルでは、たとえオーディオ品質インジケータがデジタルへの一時的な切り替えを保証するほど十分に良好である場合でも切り替えが許可されず、これによってカバレッジのデジタル境界における多重混合が防がれる。しかしながら、推定デジタルキャリア／信号対雑音比Ｃｄ／Ｎｏは、チャネル品質のおおよその指標を示すものにすぎない。フェージングチャネル又は干渉のあるチャネルでは、推定Ｃｄ／Ｎｏ値が不正確性であれば、決定が過度に慎重になってアナログでの滞在が長引き、従ってデジタルカバレッジが縮小する恐れがある。従って、混合作用モジュール６１９は、オーディオ復号処理において推定されるデジタルオーディオ品質インジケータ（ＱＩ）を処理することができる。この目的のために、オーディオ混合遅延出力バッファ６１６にオーディオサンプルが記憶された時にデータ破損についてオーディオパケットの解析及びチェックを行うようにオーディオＱＩ推定器６１８を接続することにより、オーディオ混合遅延バッファ６１６に記憶されているデジタルオーディオサンプルが「良好」なオーディオであるかどうかを混合作用モジュール６１９が判定できるようにすることができる。このように、混合作用モジュール６１９は、遷移制御信号６３３を生成してアナログオーディオとデジタルオーディオとの間のクロスオーバをいつ開始すべきかを制御することにより、アナログオーディオが歪みのないデジタルオーディオに混合されることを確実にすることができる。
【００６０】
オーディオデコーダ６１５の出力に位置するオーディオ混合遅延出力バッファ６１６は、（解凍された）ＰＣＭ領域に実装することができる。アナログオーディオとデジタルオーディオとの間の滑らかな遷移を確実にする典型的な混合遷移継続時間（例えば、約１秒）を考慮すると、オーディオ混合遅延出力バッファ６１６は、この継続時間にわたって十分なデータを保持するサイズ（例えば、少なくとも約１７０ｋＢ）にすべきである。残念なことに、限られたオンチップメモリを含むチップにとって、このような大型のバッファは極めて大きく高価である。
【００６１】
ここで、小型で効率的なオーディオ混合遅延バッファを有するデジタルラジオ受信機の例示的な詳細を示すために、本開示の選択的な実施形態による第１のデジタル信号経路７０１の機能的回路ブロック図である図１２を参照する。図示の機能は、図示のデジタル信号経路機能を実装するように好適に構成されていずれかのメモリ（例えば、ＲＡＭ、フラッシュＲＯＭ、ＲＯＭ）に結合された１又は２以上の処理ユニットを含むことができる処理システムを具体化するベースバンドプロセッサ（例えば、図８の４４７）において実行することができる。例えば、ベースバンドプロセッサは、オーディオ信号及びデータ信号の上位層復号を実行して、少なくともＫ個のエントリを保持する入力バッファ又はメモリ記憶装置７０３に記憶されるメインプログラム及び補足プログラムのための圧縮オーディオパケット７０２を生成するオーディオトランスポートモジュールを含むことができる。具体的に言えば、入力バッファ又はメモリ記憶装置７０３は、Ｋ個の圧縮パケットエントリを記憶する第１のオーディオパケットバッファ７０４と、Ｍ個の圧縮パケットエントリを記憶する第２のオーディオ混合バッファ７０５とを含むことができる。第２のオーディオ混合バッファ７０５は、ＲＡＭに実装された先入れ先出し（ＦＩＦＯ）などのいずれかの好適なメモリとすることができる。選択的な実施形態では、第２のオーディオ混合バッファ７０５のサイズが、例えば１秒などの特定のオーディオ継続時間に対応するように選択された、通常はＫよりも小さなＭ個の圧縮パケットエントリを保持する。このように、各モデムフレームからの圧縮オーディオパケットは、バッファ又はメモリ記憶装置７０３に記憶され、これをオーディオデコーダ７０６が処理してＰＣＭオーディオサンプルを生成し、オーディオ遷移モジュール７０８におけるデジタルオーディオサンプルとアナログオーディオサンプルとの正確な時間的整合に使用される微細遅延バッファ７０７に出力する。オーディオ混合バッファ７０５をオーディオデコーダ７０６の入力に移すことにより、オーディオ混合バッファ７０５のサイズは、圧縮オーディオパケットを記憶することによって大幅に縮小することができる。例えば、オーディオ混合バッファ７０５は、１秒のオーディオを９６ｋｂ／ｓで記憶するために１２ｋＢのメモリしか必要とせず、これはオーディオ混合遅延出力バッファ６１６と比べるとほぼ１５分の１である。
【００６２】
オーディオトランスポートから受け取られてオーディオ混合入力バッファ７０５に記憶されたオーディオパケットの信号品質を測定するために、オーディオ混合遅延入力バッファ７０５に圧縮オーディオパケットが記憶された時にデータ破損についてオーディオパケットの解析及びチェックを行うようにオーディオＱＩ推定器７０９を接続して、オーディオ混合遅延バッファ７０５に記憶されているデジタルオーディオサンプルが「良好」なオーディオであるかどうかを混合決定機能モジュール７１０が判定できるようにすることができる。これを行うために、オーディオ復号ブロック７０６の前にオーディオ信号品質推定が行われる。選択的な実施形態では、オーディオＱＩ推定器７０９が、巡回冗長検査（ＣＲＣ）又は多項式符号チェックサム関数を使用することなどによって、オーディオ混合遅延入力バッファ７０５に圧縮オーディオパケットが記憶された時にデータ破損について圧縮オーディオパケットの解析及びチェックを行うことにより、オーディオ復号の前に推定デジタルオーディオ品質インジケータ（ＱＩ）を生成する。これに加えて、又はこれとは別に、オーディオＱＩ推定器７０９は、オーディオ復号処理を導くように設計された、パケットヘッダ情報ビットの整合性チェックを使用することもできる。このチェック結果は、オーディオ復号ブロック７０６によって実行されるエラー隠蔽処理の必要性及び／又は状態の識別をもたらす。このような識別は、対応する復号戦略を直接もたらし、従ってこの戦略によって生じるオーディオ出力の品質を決定する。この品質は、オーディオＱＩ推定器７０９によって生成されたデジタルオーディオ品質インジケータ（ＱＩ）によって定量化され表される。オーディオ混合遅延入力バッファ７０５に圧縮オーディオパケットが記憶された時にこのオーディオパケットから推定オーディオＱＩ値を計算することにより、オーディオ品質推定が特定の混合遷移継続時間（例えば、約１秒）だけオーディオ復号に先行するようになる。また、推定器７０９からの「事前計算」されたオーディオＱＩ値は、オーディオ遷移モジュール７０８におけるアナログオーディオとデジタルオーディオとの間のクロスオーバの開始を制御する混合決定機能モジュール７１０による処理にも利用可能である。選択的な実施形態では、混合決定機能モジュール７１０が、到来する各インジケータを用いて状態を変化させる状態機械制御ロジックを使用することなどによって同時に１つのオーディオＱＩ値を処理する。このオーディオＱＩ値の順次処理の結果、混合決定機能モジュール７１０は、次のオーディオＱＩ値を予め知ることができず、現時点までに処理された予見能力のないパケットに基づいて混合決定が行われる。
【００６３】
ここで、小型で効率的なオーディオ混合遅延バッファを用いて改善された混合決定機能を提供するデジタルラジオ受信機の例示的な詳細を示すために、本開示の選択的な実施形態による第２のデジタル信号経路８０１の機能的回路ブロック図である図１３を参照する。図示の機能は、図示のデジタル信号経路機能を実装するように好適に構成されていずれかのメモリに結合された１又は２以上の処理ユニットを含むことができる処理システムを具体化するベースバンドプロセッサ（例えば、図８の４４７）において実行することができる。例えば、ベースバンドプロセッサは、オーディオ信号及びデータ信号の上位層復号を実行して、少なくともＫ個のエントリを保持する入力バッファ又はメモリ記憶装置８０３に記憶されるメインプログラム及び補足プログラムのための圧縮オーディオパケット８０２を生成するオーディオトランスポートモジュールを含むことができる。具体的に言えば、入力バッファ又はメモリ記憶装置８０３は、圧縮パケットを記憶する第１のＫエントリオーディオパケットバッファ８０４と、圧縮パケットを記憶する第２のＭエントリオーディオ混合バッファ８０５とを含むことができる。第２のオーディオ混合バッファ８０５は、ＲＡＭに実装された先入れ先出し（ＦＩＦＯ）などの、Ｍ個の圧縮パケットエントリを記憶するサイズのいずれかの好適なメモリとすることができ、これによってオーディオ混合バッファ８０５のサイズは、圧縮オーディオパケットを記憶することによって大幅に縮小されるようになる。このように、各モデムフレームからの圧縮オーディオパケットは、バッファ又はメモリ記憶装置８０３に記憶され、これをオーディオデコーダ８０６が処理してＰＣＭオーディオサンプルを生成し、微細遅延バッファ８０７に出力する。
【００６４】
入力バッファ／メモリ記憶装置８０３にＫ＋Ｍ個の圧縮オーディオパケットが記憶されると、デジタル信号経路８０１は、オーディオトランスポート８０２から受け取った圧縮オーディオパケットが入力バッファ／メモリ記憶装置８０３に記憶された時にオーディオＱＩ推定器８０９を接続してオーディオパケットの解析及びチェックを行うことによってオーディオパケットの信号品質を測定する。選択的な実施形態では、オーディオＱＩ推定器８０９が、ＣＲＣ、多項式符号チェックサム関数及び／又は整合性チェック関数を使用してオーディオパケットエラーを識別することなどによって、オーディオパケットバッファ８０４に圧縮オーディオパケットが記憶された時にデータ破損について圧縮オーディオパケットの解析及びチェックを行うことにより、推定オーディオ品質インジケータ（ＱＩ）を生成する。しかしながら、このオーディオ品質推定は、オーディオＱＩ推定器８０９を接続してオーディオトランスポート８０２から抽出されたオーディオパケットの解析及びチェックを行うことによって、（図１２に示すデジタル信号経路７０１に比べて）時間がさらに進行する。しかしながら、推定オーディオＱＩ値を混合決定機能モジュール８１３への直接的な入力として提供するのではなく、オーディオＱＩ推定器８０９の出力にＱＩ先読みバッファ８１０を接続することにより、オーディオパケットバッファ８０４に記憶された各オーディオパケットが、ＱＩ先読みバッファ８１０に記憶された対応する割り当てられたオーディオＱＩ値を有するようになる。また、ＱＩ先読みバッファ８１０の出力にＱＩ現在バッファ８１１を接続することにより、オーディオ混合バッファ８０５に記憶された各オーディオパケットが、ＱＩ現在バッファ８１１に記憶された対応する割り当てられたオーディオＱＩ値を有するようにすることもできる。
【００６５】
選択的な実施形態では、ＱＩ先読みバッファ８１０が、オーディオパケットバッファ８０４に記憶されたＫ個のエントリに対応するＫ個のエントリを記憶するサイズであり、ＱＩ現在バッファ８１１が、オーディオ混合バッファ８０５に記憶されたＭ個のエントリに対応するＭ個のエントリを記憶するサイズである。例えば、オーディオパケットバッファ８０４が、ＦＭメインプログラムのための約１．５秒のオーディオの圧縮オーディオパケットを記憶し、オーディオ混合バッファ８０５が、ＦＭメインプログラムのための約１秒のオーディオの圧縮オーディオパケットを記憶している場合、ＱＩ先読みバッファ８１０は、混合の決定を行う際に、対応する推定オーディオＱＩ値の１．５秒先を見通す能力を混合決定機能モジュール８１３に提供する。ＱＩ先読みバッファ８１０が存在しなければ、混合決定機能モジュール８１３は、混合の決定を行う際に、（オーディオ混合バッファ８０５のサイズに対応する）最後のＭ個のパケットにしかアクセスすることができない。この結果、最後のＭ個のパケットが「良好」であることに基づいてデジタルへの混合の決定が行われるが、次のパケットが「不良」である場合には再びアナログに混合し直すという状況が生じ得る。従って、ＱＩ先読みバッファ８１０は、混合決定機能モジュール８１３による次の複数のオーディオパケットのオーディオ品質の予測を可能にすることによって混合の繰り返しを避ける。
【００６６】
本開示の選択的な実施形態によれば、混合決定機能モジュール８１３は、現在のオーディオＱＩ値と先読みＱＩ値の両方を使用して混合処理を導く。この目的のために、ＱＩ処理回路又はモジュール８１２を接続して、オーディオパケットバッファ８０４内の圧縮オーディオパケットに対応するオーディオＱＩ値をＱＩ先読みバッファ８１０から受け取るとともに、オーディオ混合バッファ８０５内の圧縮オーディオパケットに対応するオーディオＱＩ値をＱＩ現在バッファ８１１から受け取るようにすることができる。ＱＩプロセッサ８１２の計算機能は、制御ロジック、フィルタ、及び／又は、現在及び／又は将来のオーディオ品質測定基準値を計算する他の好適な回路内に具体化することができる。例えば、ＱＩプロセッサ８１２は、現在のＭ個のパケットに対応する現在のオーディオＱＩ値を処理した結果である現在のパケットのデジタルオーディオ品質測定基準（ＤＡＱＭ）と、現在のＭ個のパケットを復号した後に復号されるＫ個のパケットに対応する先読みオーディオＱＩ値を処理した結果である将来のパケットのＤＡＱＭの両方を計算するように構成することができる。この結果、ＱＩプロセッサ８１２は、現在のＭ個のパケットが「良好」であることを示す現在のＤＡＱＭ値と、将来のＫ個のパケットに不良パケットが存在することを示す将来のＤＡＱＭ値とを生成することができる。混合決定機能モジュール８１３は、「良好」な現在のＤＡＱＭ値と「不良」な将来のＤＡＱＭ値とを使用してデジタルへの混合を控えるように構成することができる。選択的な実施形態では、ホストマイクロコントローラが、ＤＡＱＭ値を読み出して、一時的な値の変動を抑えるようにさらに処理することができ、この場合、ホストマイクロコントローラは、混合決定機能モジュール８１３よりも概ね慎重とすることができる独自の混合決定を行う。
【００６７】
混合決定を行う方法に関して既存のデジタルラジオ受信機との後方互換性を維持するために、ＱＩプロセッサ８１２を無効にし、現在の推定オーディオＱＩ値を直接入力できるように混合決定機能モジュール８１３に転送することによって、現在のＤＡＱＭ及び将来のＤＡＱＭの計算をオフにすることもできる。ＱＩプロセッサが無効の状態では、混合決定機能モジュール８１３を、現在のオーディオＱＩ値のみを単独で、又は推定デジタルキャリア／雑音密度比Ｃｄ／Ｎｏと組み合わせて使用するように構成することができる。いずれの構成にせよ、混合決定機能モジュール８１３は、入力バッファ／メモリ記憶装置８０３に記憶されたデジタルオーディオを使用して、オーディオ遷移モジュール８０８におけるアナログオーディオとデジタルオーディオとの間のクロスオーバの開始を制御することができる。
【００６８】
オーディオ混合バッファのメモリサイズを縮小し、先読みオーディオＱＩ値に基づいて混合決定を改善することに加え、オーディオ混合バッファをオーディオデコーダの前に移すという他の付随する便益及び利点もあると理解されるであろう。ここで、このような１つの便益を示すために、従来のＳＰＳ／ＭＰＳ切り替えアーキテクチャを採用する第３のデジタル信号経路９０１の回路ブロック図である図１４を参照する。図示のデジタル信号経路９０１の部分では、オーディオトランスポート９０２によって抽出されたメインプログラム及び補足プログラムのための圧縮オーディオパケットが、Ｋエントリオーディオパケットバッファ９０４に記憶される。オーディオパケットバッファ９０４の出力にはセレクタスイッチ９０６が接続されて、ＭＰＳ圧縮オーディオパケット又はＳＰＳ圧縮オーディオパケットのいずれかをオーディオデコーダ９０８に接続し、オーディオデコーダ９０８は、圧縮オーディオパケットからＰＣＭオーディオサンプルを生成して出力し、これがオーディオ混合バッファ９１０に記憶される。ユーザが「ＳＰＳオーディオ」を選択した場合、ＭＰＳ／ＳＰＳセレクタスイッチ９０６は、オーディオデコーダ９０８の入力部にＳＰＳオーディオパケットを転送する。同様に、ユーザが「ＭＰＳオーディオ」を選択した場合、ＭＰＳ／ＳＰＳセレクタスイッチ９０６は、オーディオデコーダ９０８内にＭＰＳオーディオパケットを供給する。オーディオデコーダ９０８は、ＭＰＳオーディオ又はＳＰＳオーディオのいずれかを表すＰＣＭサンプルを出力する。サンプルの経路は、どちらのオーディオが選択されたかに応じて異なる。具体的に言えば、ＳＰＳオーディオは、（破線で示すように）直接出力に到達するが、ＭＰＳオーディオは、オーディオ混合バッファ９１０を通過した後にオーディオ遷移モジュール（図示せず）に到達する。オーディオデコーダ９０８の出力におけるオーディオ混合バッファ９１０のサイズ及び位置に起因して、ＭＰＳオーディオへのあらゆる切り替えは、オーディオ混合バッファ９１０の出力においてＭＰＳオーディオが利用可能になるまでに「充填」時間（例えば、１秒）を必要とし、この時間中はユーザに何も聞こえない。
【００６９】
対照的に、図１５は、オーディオデコーダの前にオーディオ混合バッファが位置する選択的な実施形態によるＳＰＳ／ＭＰＳ切り替えアーキテクチャを採用する第４のデジタル信号経路９１１の回路ブロック図である。図示のデジタル信号経路９１１の部分では、オーディオトランスポート９１２によって抽出されたメインプログラム及び補足プログラムのための圧縮オーディオパケットが、少なくともＫ個のエントリを保持する入力バッファ又はメモリ記憶装置９１３に記憶される。具体的に言えば、入力バッファ又はメモリ記憶装置９１３は、Ｋ個の圧縮パケットエントリを記憶する第１のオーディオパケットバッファ９１４と、Ｍ個の圧縮パケットエントリを記憶する第２のＭＰＳオーディオ混合バッファ９１６とを含むことができる。ＭＰＳオーディオ混合バッファ９１６の出力にはセレクタスイッチ９１８が接続されて、ＭＰＳ圧縮オーディオパケット又はＳＰＳ圧縮オーディオパケットのいずれかをオーディオデコーダ９２０に接続し、オーディオデコーダ９２０は、圧縮オーディオパケットから、ＭＰＳ  ＰＣＭオーディオサンプル又はＳＰＳ  ＰＣＭオーディオサンプルのいずれかを生成して出力する。ユーザが「ＳＰＳオーディオ」を選択した場合、ＭＰＳ／ＳＰＳセレクタスイッチ９０６は、オーディオパケットバッファ９１４からのＳＰＳオーディオパケットをオーディオデコーダ９２０の入力に転送する。一方で、ユーザが「ＭＰＳオーディオ」を選択した場合、ＭＰＳ／ＳＰＳセレクタスイッチ９１８は、ＭＰＳオーディオ混合バッファ９１６の出力からＭＰＳオーディオパケットを供給する。この結果、ＳＰＳからＭＰＳへの切り替えを行う際には、既にＭＰＳオーディオがＭＰＳオーディオ混合バッファ９１６から利用可能であるため、切り替えはほぼ瞬間的に行われ、その後に切り替えに関連する無音が存在しなくなる。この場合、オーディオデコーダ９２０からのＭＰＳオーディオとＳＰＳオーディオの両出力経路は同じものである。
【００７０】
理解されるように、開示した複合デジタルオーディオ放送信号処理のためのシステム、方法及び受信機装置、並びに本明細書で開示したプログラム機能は、ハードウェア、処理回路、（限定するわけではないが、ファームウェア、常駐ソフトウェア、マイクロコードなどを含む）ソフトウェア、或いはコンピュータ又はいずれかの命令実行システムによって又はこれらに関連して使用されるプログラムコード、実行可能命令及び／又はデータを提供するコンピュータ使用可能媒体又はコンピュータ可読媒体からアクセスできるコンピュータプログラム製品を含むこれらの何らかの組み合わせの形で具体化することができ、この場合、コンピュータ使用可能媒体又はコンピュータ可読媒体は、命令実行システム、装置又はデバイスによって又はこれらに関連して使用されるプログラムを含み、又は記憶することができるいずれかの装置とすることができる。非一時的コンピュータ可読媒体の例としては、半導体又は固体メモリ、磁気テープ、メモリカード、取り外し可能なコンピュータディスケット、ランダムアクセスメモリ（ＲＡＭ）、リードオンリメモリ（ＲＯＭ）、剛性磁気ディスク、並びにコンパクトディスクリードオンリメモリ（ＣＤ−ＲＯＭ）、コンパクトディスクリード／ライト（ＣＤ−Ｒ／Ｗ）及びＤＶＤなどの光ディスク、又はその他のいずれかの好適なメモリが挙げられる。
【００７１】
これで、本明細書ではインバンドオンチャネル（ＩＢＯＣ）デジタルラジオ放送信号のための受信機と、関連するプロセッサ実装動作方法とを提供したことが理解されるはずである。選択的な実施形態では、デジタルラジオ放送受信機が、実行可能命令及びデータを記憶した少なくとも１つの記録可能記憶媒体を含み、実行可能命令及びデータは、少なくとも１つの処理装置によって実行された時に、少なくとも１つの処理装置に、受け取った複合デジタルラジオ放送信号をアナログオーディオ部分とデジタルオーディオ部分とに分離することと、アナログオーディオ部分及びデジタルオーディオ部分を復調して、アナログオーディオ信号サンプル及びデジタルオーディオ信号サンプルをそれぞれ生成することと、１又は２以上の対応するデジタルオーディオ品質インジケータ値によって示された時に、アナログからデジタルへの混合を防ぎ又は遅延させることにより、アナログオーディオ信号サンプルをデジタルオーディオ信号サンプルとデジタル的に組み合わせてオーディオ出力を生成することと、を行わせる。本明細書で開示したように、デジタルオーディオ部分の復調は、複合デジタルオーディオ放送信号のデジタルオーディオ部分に対してデインターリービング、符号合成、ＦＥＣ復号及びエラーフラッギングを実行してベースバンドデジタル信号を生成することなどにより、複合デジタルオーディオ放送信号のデジタルオーディオ部分を復調してデジタルオーディオ信号を生成するステップを含む。その後、デジタルベースバンド信号のオーディオトランスポート復号を実行して複数の圧縮オーディオパケットを計算することなどにより、上位層復号処理を用いてデジタルオーディオ信号を復号して複数の圧縮オーディオパケットを計算する。次に、データ破損について各圧縮オーディオパケットの解析及びチェックを行い、及び／又は各圧縮オーディオパケット上の各ヘッダの整合性チェックを実行することなどにより、各圧縮オーディオパケットを処理して対応するデジタルオーディオ品質インジケータ値を計算する。さらに、Ｋ個の先読み圧縮オーディオパケットを記憶するオーディオパケットバッファと、Ｍ個の現在の圧縮オーディオパケットを記憶するオーディオ混合バッファとを含むことができる、オーディオデコーダに入力する圧縮オーディオパケットを提供するように接続された入力バッファに各圧縮オーディオパケットを記憶する。選択的な実施形態では、オーディオ混合バッファに記憶された各圧縮オーディオパケットを同時に処理して、対応するデジタルオーディオ品質インジケータ値を計算するのに対し、他の実施形態では、オーディオパケットバッファに記憶された各圧縮オーディオパケットをオーディオ混合バッファに記憶する前に処理して、対応するデジタルオーディオ品質インジケータ値を計算することにより、各圧縮オーディオパケットを処理して対応するデジタルオーディオ品質インジケータ値を計算した後に各圧縮オーディオパケットがオーディオ混合バッファに記憶されるようにする。複数の圧縮オーディオパケットを記憶するオーディオ混合バッファに各圧縮オーディオパケットを記憶した後に、オーディオ混合バッファに記憶されている各圧縮オーディオパケットからのオーディオ情報を、オーディオデコーダを用いて処理して、解凍されたデジタルオーディオ信号サンプルを生成する。オーディオパケットバッファにＳＰＳオーディオパケットを記憶し、オーディオ混合バッファにＭＰＳオーディオパケットを記憶する選択的な実施形態では、オーディオデコーダの入力にセレクタスイッチを接続して、ＳＰＳオーディオパケットとＭＰＳオーディオパケットとを切り替えてオーディオデコーダに入力することができる。選択的な実施形態では、オーディオパケットバッファに記憶されているＫ個の圧縮オーディオパケットに対応するＫ個の先読みデジタルオーディオ品質インジケータ値を記憶する先読みバッファと、オーディオ混合バッファに記憶されている複数の圧縮オーディオパケットに対応するＭ個の現在のデジタルオーディオ品質インジケータ値を記憶する現在バッファとを含むことができるメモリ記憶装置に各デジタルオーディオ品質インジケータ値を記憶する。このような実施形態では、Ｋ個の先読み品質インジケータ値に基づいて将来のデジタルオーディオ品質測定基準を計算し、Ｍ個の品質インジケータ値に基づいて現在のデジタルオーディオ品質測定基準を計算する品質インジケータ処理モジュールを提供することができ、アナログオーディオ信号サンプルをデジタルオーディオ信号サンプルとデジタル的に組み合わせるステップは、現在のデジタルオーディオ品質測定基準が、オーディオ混合バッファに記憶されている圧縮オーディオパケットに歪みがないことを示す第１の値を有し、将来のデジタルオーディオ品質測定基準が、将来の圧縮オーディオパケットが歪んでいることを示す第２の値を有する時に、アナログからデジタルへの混合を防ぎ又は遅延させる。
【００７２】
本明細書で説明した本開示の例示的な実施形態は、圧縮オーディオパケットのオーディオ復号前に圧縮オーディオパケットから抽出されたデジタルオーディオ品質インジケータ値を採用することによって、インバンドオンチャネル（ＩＢＯＣ）デジタルラジオ放送信号においてアナログオーディオ信号サンプルをデジタルオーディオ信号サンプルとデジタル的に組み合わせる例示的なＩＢＯＣシステムに関するが、本発明は、必ずしも様々なデジタルラジオ放送受信機の設計及び／又は動作に適用できる本発明の発明態様を示す実施形態例に限定されるものではない。従って、本発明は、本明細書における教示から恩恵を受ける当業者にとって明らかな、異なるけれども同等の形で修正して実施することができるので、上記で開示した特定の実施形態は例示にすぎず、本発明に対する限定として解釈すべきではない。従って、上述した説明は、記載した特定の形態に本発明を限定することを意図するものではなく、むしろ添付の特許請求の範囲によって定められる本発明の趣旨及び範囲に含まれ得るこのような代替物、修正物及び同等物も対象とすることを意図するものであり、従って当業者であれば、本発明の最も広い形の趣旨及び範囲から逸脱することなく様々な変更、置換及び改変を行うことができると理解されたい。
【符号の説明】
【００７３】
７０１  第１のデジタル信号経路
７０２  オーディオトランスポートからのオーディオパケット
７０３  入力バッファ
７０４  オーディオパケットバッファ（Ｋ個のエントリ）
７０５  オーディオ混合バッファ（Ｍ個のエントリ）
７０６  オーディオデコーダ
７０７  微細遅延バッファ
７０８  オーディオ遷移
７０９  オーディオＱＩ推定器
７１０  混合決定機能
【図１】
2018509118.tif 000003
【図２】
2018509118.tif 000004
【図３】
2018509118.tif 000005
【図４】
2018509118.tif 000006
【図５】
2018509118.tif 000007
【図６】
2018509118.tif 000008
【図７ａ】
2018509118.tif 000009
【図７ｂ】
2018509118.tif 000010
【図８】
2018509118.tif 000011
【図９】
2018509118.tif 000012
【図１０】
2018509118.tif 000013
【図１１】
2018509118.tif 000014
【図１２】
2018509118.tif 000015
【図１３】
2018509118.tif 000016
【図１４】
2018509118.tif 000017
【図１５】
2018509118.tif 000018
【国際調査報告】
2018509118.tif 000019
2018509118.tif 000020